(57)【要約】【課題】着脱可能な記録再生媒体のアクセス中は記録再生媒体の取外しができないようにして、記録再生媒体内のデータの破壊を防止する記録再生装置を提供する。【解決手段】電子制御されて開閉する機構を持つＤＶＤローディングトレイ１３の近傍に、着脱可能なＳＤカードメモリ挿入口１１を配置し、電子制御されて開閉する機構に連動して開閉する蓋１３ａで、上記ＳＤメモリカード挿入口１１を覆うように構成し、上記ＳＤメモリカード２０及びＤＶＤが、当該記録再生装置１０とアクセス状態にある時には、上記蓋１３ａを開かないようにする。【選択図】      図１
2004199815.tif 000002
【特許請求の範囲】
【請求項１】
複数の記録再生媒体に、該複数の記録再生媒体に対応する複数のアクセス手段によりアクセスして、映像情報やデータの書き込み、あるいは読み出しを行う記録再生装置において、
上記複数の記録再生媒体の一つである第１の記録再生媒体の挿入口は、電子制御により開閉動作を行う開閉手段によってその開閉がなされるものであり、
該第１の記録再生媒体の挿入口の近傍に、上記複数の記録再生媒体の一つである第２の記録再生媒体の挿入口が設けられ、
上記開閉手段に設けられた第１の記録再生媒体の挿入口を覆う蓋は、該第２の記録再生媒体の挿入口をも覆い、
上記第１、及び第２の記録再生媒体のいずれか一つがアクセス状態にある際には、上記開閉手段がその開動作を行わない、
ことを特徴とする記録再生装置。
【請求項２】
請求項１記載の記録再生装置において、
可視光を発光する発光手段を具備し、
上記発光手段は、上記複数の記録再生媒体のうちのいずれか一つがアクセス状態にあるとき、可視光を発光して該アクセス状態にあることを示す、
ことを特徴とした記録再生装置。
【請求項３】
請求項１または請求項２に記載の記録再生装置において、
文字信号を生成する文字信号生成手段と、
文字信号を、上記記録再生媒体から再生された映像信号に合成する映像信号合成手段と、を具備し、
上記複数の記録再生媒体のうちのいずれか一つがアクセス状態にあるとき、上記映像信号合成手段により、該アクセス状態にあることを示す文字信号を映像信号に合成し、該合成信号を当該記録再生装置に接続された表示装置に表示する、
ことを特徴とした記録再生装置。
【請求項４】
請求項１ないし請求項３のいずれかに記載の記録再生装置において、
可聴音を発生する音発生手段を具備し、
上記音発生手段は、上記複数の記録再生媒体のうちのいずれか一つがアクセス状態にあるとき、可聴音を発生して該アクセス状態にあることを示す、
ことを特徴とした記録再生装置。
【請求項５】
請求項１に記載の記録再生装置において、
上記蓋の、上記第２の記録再生媒体の挿入口を覆う部分が透明である、
ことを特徴とした記録再生装置。
【請求項６】
請求項１に記載の記録再生装置において、
上記開閉手段は、当該記録再生装置がデモンストレーションモードにある際には、その開動作を行わない、
ことを特徴とした記録再生装置。
【発明の詳細な説明】
【０００１】
【発明の属する技術分野】
本発明は、例えばＳＤメモリカードのように着脱可能な記録再生媒体を使用して、映像情報等のデータの書き込み、または読出しを行う記録再生装置に関する。
【０００２】
【従来の技術】
従来より、メモリカード等の着脱可能な記録再生媒体と記録再生装置との間で、映像情報やデータの書き込み／読出しをしているアクセス中に、その挿入された記録再生媒体が、当該記録再生装置のカード収容個所から抜き取られたり、或いは外力が加えられたりすると、該記録再生媒体から記録再生装置へ映像情報等のデータの伝達ができなくなったり、また、伝達すべきデータが記録再生媒体に不完全な形で伝達されてしまったり、さらには、該記録再生媒体が使えなくなってしまうといった危険性があった。
【０００３】
そこで、従来の記録再生装置には、それらの危険性を回避するために、例えば、ＬＥＤなどの発光手段を設けて、記録再生装置が記録再生媒体にアクセス中には上記発光手段を点滅、あるいは点灯させて使用者に注意を促したり、アクセス中に上記記録再生媒体が抜き取られた場合には、その旨を使用者に知らせるために適切な警告を発したりしている（特許文献１参照）。
【０００４】
また、以上のような危険性を回避するため、記録再生装置が記録再生媒体にアクセス中、記録再生装置から記録再生媒体が抜き取られないようにするロック装置が設けられたものもある（特許文献２参照）。
【０００５】
【特許文献１】
特開平５−７４１２０号公報（第２頁）
【０００６】
【特許文献２】
特開平６−２５９６１１号公報（第２頁）
【０００７】
【発明が解決しようとする課題】
しかしながら、従来のようにアクセス中を示すＬＥＤ等の発光手段やその他による表示だけでは、使用者が記録再生媒体がアクセス中であることに気づかなければ、記録再生装置から誤って記録再生媒体を取外したり、或いは記録再生媒体を取り外そうとして外力を加えてしまう可能性があり、従来技術では、上述した危険性を完全に回避させることができないという課題があった。一方、上述したように、記録再生装置にアクセス中に記録再生媒体を取り外せないようにする専用の扉やロック機構を記録再生装置に持たせるためには、その機構を構成するための部材、及びその機構を制御する専用の制御手段を記録再生装置に備えなければならず、コストアップにつながるという課題もあった。
【０００８】
本発明は、上記課題に鑑みてなされたものであり、記録再生装置が記録再生媒体にアクセスしている際には、上記記録再生媒体を取外したり、触れることができない記録再生装置を提供することを目的とするものである。
【０００９】
【課題を解決するための手段】
上記課題を解決するために、本発明の請求項１に記載の記録再生装置は、複数の記録再生媒体に、該複数の記録再生媒体に対応する複数のアクセス手段によりアクセスして、映像情報やデータの書き込み、あるいは読み出しを行う記録再生装置において、上記複数の記録再生媒体の一つである第１の記録再生媒体の挿入口は、電子制御により開閉動作を行う開閉手段によってその開閉がなされるものであり、該第１の記録再生媒体の挿入口の近傍に、上記複数の記録再生媒体の一つである第２の記録再生媒体の挿入口が設けられ、上記開閉手段に設けられた第１の記録再生媒体の挿入口を覆う蓋は、該第２の記録再生媒体の挿入口をも覆い、上記第１、及び第２の記録再生媒体のいずれか一つがアクセス状態にある際には、上記開閉手段がその開動作を行わないものである。
【００１０】
また、本発明の請求項２に記載の記録再生装置は、請求項１記載の記録再生装置において、可視光を発光する発光手段を具備し、上記発光手段は、上記複数の記録再生媒体のうちのいずれか一つがアクセス状態にあるとき、可視光を発光して該アクセス状態にあることを示すことを示すものである。
【００１１】
また、本発明の請求項３に記載の記録再生装置は、請求項１または請求項２に記載の記録再生装置において、文字信号を生成する文字信号生成手段と、文字信号を、上記記録再生媒体から再生された映像信号に合成する映像信号合成手段と、を具備し、上記複数の記録再生媒体のうちのいずれか一つがアクセス状態にあるとき、上記映像信号合成手段により、該アクセス状態にあることを示す文字信号を映像信号に合成し、該合成信号を当該記録再生装置に接続された表示装置に表示するものである。
【００１２】
また、本発明の請求項４に記載の記録再生装置は、請求項１ないし請求項３のいずれかに記載の記録再生装置において、可聴音を発生する音発生手段を具備し、上記音発生手段は、上記複数の記録再生媒体のうちのいずれか一つがアクセス状態にあるとき、可聴音を発生して該アクセス状態にあることを示すものである。
【００１３】
また、本発明の請求項５に記載の記録再生装置は、請求項１に記載の記録再生装置において、上記蓋の、上記第２の記録再生媒体の挿入口を覆う部分が透明であるものである。
【００１４】
また、本発明の請求項６に記載の記録再生装置は、請求項１に記載の記録再生装置において、上記開閉手段は、当該記録再生装置がデモンストレーションモードにある際には、その開動作を行わないものである。
【００１５】
【発明の実施の形態】
（実施の形態１）
以下、本発明の実施の形態１における記録再生装置について、図面を参照しながら説明する。本実施の形態１においては、記録再生媒体の挿入口を蓋でふさぎ、記録再生装置が記録再生媒体にアクセス中には、蓋を開けないように制御することで、アクセス中に記録再生媒体に触れたり、取り出したりすることを防止するものである。
【００１６】
まず、図１及び図２を用いて、本実施の形態１にかかる記録再生装置の構成について説明する。
図１は、本発明の実施の形態１における記録再生装置の外観図であり、ここでは、ＤＶＤプレーヤとビデオテープレコーダを一体にした映像記録再生機を例として挙げている。そして、図２は、本実施の形態１における記録再生装置の構成を示すブロック図である。
【００１７】
図１において、本実施の形態１における記録再生装置１０は、ＤＶＤプレーヤとビデオテープレコーダを一体にし、さらにＳＤメモリカードに記録された静止画を再生する機能を付加した映像記録再生機である。そして、１１はＳＤメモリカードの挿入口、１２は記録再生装置１０の内部に取り付けられているＳＤ制御ユニット、１４は記録再生装置１０の内部に取り付けられているＤＶＤ制御ユニット、１３はＤＶＤをのせるＤＶＤローディングトレイ、１３ａはＤＶＤ制御ユニット１４の開口部とＳＤメモリカード挿入口１１とを覆う形状を有する上記ＤＶＤローディングトレイ１３の蓋、１５はビデオテープ挿入口、１６は記録再生装置１０の内部に取り付けられているビデオテープ制御ユニット、１７は上記ＤＶＤローディングトレイ１３をオープン／クローズする操作等を行う操作キー入力部、１８は記録再生装置１０の状態を表示する蛍光表示管、１９はリモコン信号を受信するリモコン信号受信部である。
【００１８】
そして、図２に示されるように、本実施の形態１における記録再生装置１０は、システムコントローラー３０により制御され、該システムコントローラー３０は、上記リモコン信号受信部１９、及び操作キー入力部１７より入力される使用者からの指示を受信して、当該記録再生装置１０において、ビデオテープ挿入口１５に挿入されたビデオテープ（図示せず）に記録されたデータをＴＶモニタ４０で再生する際には、ビデオテープ制御ユニット１６により読み出したビデオテープからの再生信号を記録再生信号処理回路３１において処理して、映像信号、音声信号を作り、映像／音声切替回路３２を介して、その映像／音声信号をＴＶモニタ４０に出力し、また、ＤＶＤローディングトレイ１３にのせられたＤＶＤ（図示せず）、あるいはＳＤメモリカード挿入口１１に挿入されたＳＤメモリカード２０に記録されたデータをＴＶモニタ４０に再生する際には、上記ＤＶＤあるいはＳＤメモリカード２０から出力された映像／音声信号を、ＤＶＤ制御ユニット１４、あるいはＳＤ制御ユニット１２によって読みだし、上記映像／音声切替回路３２を介してＴＶモニタ４０に出力するものである。さらに、蛍光表示管コントローラ３３は、各記録再生媒体（ビデオテープ、ＤＶＤ、ＳＤメモリカード）のアクセス状態や当該装置１０の状態、その他必要な情報を示す表示を、上記システムコントローラー３０の制御の下、蛍光表示管１８に表示するものである。
【００１９】
以下、このような構成を有する記録再生装置１０にＳＤメモリカード２０が挿入され、該ＳＤメモリカード２０に記録された情報がＴＶモニタ４０に表示されるまでの記録再生装置１０の動作について、図２を参照しながら説明する。
【００２０】
まず、図１に示されるように、ＤＶＤローディングトレイ１３が引き出された状態にあるとき、使用者は、ＳＤメモリカード２０をＳＤメモリカード挿入口１１に差し込む。そして、ＳＤメモリカード２０を挿入した後、使用者は、リモコン（図示せず）、あるいは、操作キー入力部１７を操作して、上記ＤＶＤローディングトレイ１３を閉めるように指示をだす。この指示は、システムコントローラー３０よりＤＶＤ制御ユニット１４に送られ、ＤＶＤ制御ユニット１４はＤＶＤローディグトレイ１３を閉める処理を行う。そして、ＤＶＤローディングトレイ１３が完全に閉まり、記録再生装置１０内に引き込まれた状態になったことをＤＶＤ制御ユニット１４からシステムコントローラー３０に知らされると、システムコントローラー３０はＳＤ制御ユニット１２に対し、ＳＤメモリカード２０へのアクセス許可をだす。ＳＤ制御ユニット１２は、そのアクセス許可を受信すると、まずシステムコントローラー３０にアクセス中であることを示す信号を出した後、ＳＤメモリカード２０にアクセスを行い、記録内容の初期情報等を読み出す。このとき、システムコントローラー３０は、蛍光表示管コントローラ３３を制御して、蛍光表示管１８にＳＤ制御ユニットの動作を表示するようにする。例えば、ＳＤ制御ユニット１２がＳＤメモリカード２０を認識中には、‘ＳＤ’という文字が点灯表示されるようにし、また、ＳＤ制御ユニット１２がＳＤメモリカード２０にアクセス中には、‘ＳＤ’ という文字を点滅表示されるようにする。
【００２１】
そして、ＳＤ制御ユニット１２は、ＳＤメモリカード２０に記録されたデータに静止画像情報が含まれていれば、サムネイル画像の映像信号を作成し、映像／音声切換回路３２に送り、システムコントローラー３０に対しては、画面切換え要求を出す。上記要求を受け取ったシステムコントローラー３０は、画面切換え信号を映像／音声切換回路３２に出力し、サムネイル画面の映像信号をＴＶモニタ４０に表示させる。そして、ＳＤ制御ユニット１２によって、ＳＤメモリカード２０にアクセスが終了すると、ＳＤ制御ユニット１２はシステムコントローラー３０にアクセスが終了したことを通知し、この通知を受け取ったシステムコントローラー３０は、蛍光表示管コントローラ３３を制御して、蛍光表示管１８に点滅表示されていた‘ＳＤ’の文字が点灯表示されるように変更し、ＳＤメモリカード２０へのアクセスが終了したことを使用者に知らせる。
【００２２】
そして、上述したような処理中、あるいは処理終了後に、使用者が上記ＳＤメモリカード２０を取り出したいときには、上記電子スイッチ１７、あるいはリモコンを操作して、ＤＶＤローディングトレイ１３を記録再生装置１０から引き出すよう指示を出す。そして、このような指示を、上記ＳＤ制御ユニット１２がＳＤメモリカード２０にアクセス中にシステムコントローラー３０が受けた場合、システムコントローラー３０は、ＤＶＤ制御ユニット１４に対してＤＶＤローディングトレイ１３を開けないように制御する。
【００２３】
ここで、図３を用いて、ＤＶＤディスクローディングトレイ１３の開閉の制御について説明する。図３は、本実施の形態１の記録再生装置において、ＤＶＤローディングトレイの開閉制御の一連の流れを示すフローチャートである。
【００２４】
使用者より、操作キー入力部１７あるいはリモコン（図示せず）を操作することで、ＤＶＤローディングトレイ１３を開けるよう指示がだされると、システムコントローラー３０に上記指示が入力され（ステップＳ１）、システムコントローラー３０は、ＤＶＤローディングトレイ１３の開閉状態を確認する（ステップＳ２）。そして、ＤＶＤローディングトレイ１３が閉まっていると判断された場合、システムコントローラー３０はまず、ＳＤメモリカード２０が本記録再生装置１０内に挿入されているか否かを判断する（ステップＳ３）。この際、ＳＤメモリカード２０が本記録再生装置１０内に挿入されていないと判断された場合、システムコントローラー３０は、ＤＶＤ制御ユニット１４に対してＤＶＤローディングトレイ１３を開けるよう指示する（ステップＳ５）。一方、ＳＤメモリカード２０が本記録再生装置１０内に挿入されていると判断された場合、システムコントローラー３０は、まず、ＳＤ制御ユニット１２がそのＳＤメモリカード２０にアクセス中かどうかを判断する。そして、上記ＳＤ制御ユニット１２が上記ＳＤメモリカード２０にアクセス中でない場合には、システムコントローラー３０はＤＶＤ制御ユニット１４に対して、ＤＶＤローディングトレイ１３を開けるように指示し（ステップＳ５）、また、ＳＤ制御ユニット１２が上記ＳＤメモリカード２０をアクセス中である場合は、ＳＤ制御ユニット１２に対してアクセス中断指示をだし（ステップＳ６）、再度ＳＤ制御ユニット１２がＳＤメモリカード２０にアクセス中でないかを確かめた後（ステップＳ５）、ＤＶＤ制御ユニット１４に対してＤＶＤローディングトレイ１３を開けるよう指示する（ステップＳ５）。
【００２５】
そして、システムコントローラー３０からの、ＤＶＤローディングトレイ１３を開ける指示（ステップＳ５）を受信したＤＶＤ制御ユニット１４は、現在ＤＶＤにアクセス中か否かを判断し（ステップＳ１０）、アクセス中でなければ、ＤＶＤローディングトレイ１３を開けるように処理し（ステップＳ１２）、アクセス中であれば、まず、アクセスを中断して（ステップＳ１１）、再度アクセス中でないことを確認後（ステップＳ１０）、ＤＶＤローディングトレイ１３を開ける処理を行う（ステップＳ１２）。なお、上記ステップＳ２において、システムコントローラー３０が、すでにＤＶＤローディングトレイ１３が開いていると判断した場合は、システムコントローラー３０は何も処理を行わない。
【００２６】
そして、図示していないが、ステップ１において、使用者により、ＤＶＤローディングトレイ１３を閉める指示がだされた場合、システムコントローラー３０は、上述と同様、まず、ＤＶＤローディングトレイ１３の開閉状態を確認し、ＤＶＤローディングトレイ１３が閉まっていると判断された場合は、何も処理を行わず、開いていると判断された場合は、ＤＶＤ制御ユニット１４に対して該ＤＶＤローディングトレイ１３を閉めるように指示し、その指示を受信したＤＶＤ制御ユニット１４は、ＤＶＤローディングトレイ１３を閉める処理を行う。
【００２７】
以上のように、本実施の形態１によれば、記録再生装置１０のＳＤメモリカード挿入口１１、及びＤＶＤディスクドライブ装置１４の開口部が、ＤＶＤローディングトレイ１３の蓋１３ａにより覆われるように構成されているので、ＤＶＤローディングトレイ１３が、当該記録再生装置１０から引き出されない限り、使用者がＳＤメモリカード２０やＤＶＤ等の記録再生媒体に触れたり、引き抜いたりすることはできないようにすることができる。
【００２８】
また、本実施の形態１によれば、システムコントローラー３０及びＤＶＤ制御ユニット１４によって、以上のようなＤＶＤローディングトレイ１３の開閉制御を行うことにより、記録再生装置１０が記録再生媒体にアクセス中には、ＤＶＤローディングトレイ１３が開けられることのないようにしたので、使用者が記録再生装置１０が記録再生媒体にアクセス中は、その記録再生媒体を取り出したり、触れたりできないようにすることができ、この結果、記録再生装置１０において、記録再生媒体内のデータを不完全にされたり、破壊されることを防止することが可能となる。
【００２９】
なお、本実施の形態１においては、記録再生媒体がＳＤメモリカード２０の場合の記録再生装置１０における制御について説明したが、他の記録再生媒体、ＤＶＤあるいはビデオテープ、においても、同様に制御することによって、上記同様の効果が得られるものである。
【００３０】
（実施の形態２）
以下、本発明の実施の形態２における記録再生装置について、図面を参照しながら説明する。本実施の形態２においては、記録再生媒体がアクセス状態にあるときにはＬＥＤを点滅させる等して、使用者が視覚によりアクセス中であるかどうかを確認できるようにしたものである。
【００３１】
まず、図４及び図５を用いて、本実施の形態２にかかる記録再生装置の構成について説明する。図４は、本実施の形態２における記録再生装置の外観図であり、図５は、本実施の形態２における記録再生装置の構成を示す図である。
【００３２】
図４において、本実施の形態２における記録再生装置１０ａは、上記実施の形態１の記録再生装置１０の構成に加え、発光手段であるＬＥＤ３４を備えたものであり、上記ＬＥＤ３４は、システムコントローラー３０ａにより制御される。なお、そのほかの構成については、上記実施の形態１と同様であるため、ここでは説明を省略する。
【００３３】
以下、このような構成を有する記録再生装置１０ａの動作について、図５を参照しながら説明する。
本実施の形態２にかかる記録再生装置１０ａの動作は、上記実施の形態１の記録再生装置１０と同じであるが、本実施の形態２の記録再生装置１０ａは、上記実施の形態１の記録再生装置１０がＳＤメモリカード２０にアクセスして、ＳＤメモリカード２０に記録されている情報を読み取り、或いは書き込んでいる際には、ＬＥＤ３４を点滅させるよう制御するものである。
【００３４】
つまり、システムコントローラー３０ａが、ＳＤ制御ユニット１２に対してＳＤメモリカード２０へのアクセス許可を出すと、上記ＳＤ制御ユニット１２は、そのアクセス許可を受け取り、システムコントローラー３０に対してアクセス中であることを示す信号を出した後に、ＳＤメモリカード２０に対してアクセスを開始し、記録内容の初期情報等を読み出す。この際、上記システムコントローラー３０ａは、蛍光表示管コントローラ３３を制御して蛍光表示管１８にＳＤ制御ユニットの動作を表示するのに加えてＬＥＤ３４も制御してＬＥＤ３４を点滅させる。
【００３５】
このようにすることにより、本記録再生装置１０ａがＳＤメモリカード２０に対してアクセス状態であることを、使用者が視覚的に知ることが可能となり、使用者に対して、記録再生媒体がアクセス状態にある際に上記ＤＶＤローディングトレイ１３を引き出すことのないように促すことができる。なお、ここでは、ＳＤメモリカード２０に対してＳＤ制御ユニット１２がアクセス状態にある場合を例に挙げて説明したが、本記録再生装置１０ａに挿入される他の記録再生媒体、例えばＤＶＤやビデオテープに対して、記録再生装置１０ａがアクセス状態にあるときにも、上記同様にＬＥＤ３４を点滅させるようにしてもよい。
【００３６】
以上のように、本実施の形態２の記録再生装置１０ａによれば、上記実施の形態１の記録再生装置１０の構成に加えてＬＥＤ３４を設けて、各記録再生媒体に記録再生装置１０ａの各制御ユニット等がアクセス状態にある際に該ＬＥＤ３４が点滅するようシステムコントローラー３０で制御するようにしたので、使用者が視覚により上記各記録再生媒体がアクセス状態にあるか否かを確認することができ、これにより、上記各制御ユニットが記録再生媒体にアクセス中に、使用者が上記電子スイッチ１７、あるいはリモコンを操作して、ＤＶＤローディングトレイ１３を記録再生装置１０ａから引き出す指示を出さないように促すことができ、この結果、記録再生装置１０ａにおいて、記録再生媒体内のデータを不完全にされたり、破壊されることを防止することを未然に防止することが可能となる。
【００３７】
（実施の形態３）
以下、本発明の実施の形態３における記録再生装置について、図面を参照しながら説明する。本実施の形態３においては、記録再生媒体がアクセス状態にあるときにはその旨を示す文字信号を発生させ、該各記録再生媒体から出力されるデータに上記文字信号を合成してＴＶモニタ上に文字によりその旨を表示させて、使用者が視覚によりアクセス中であるかどうかを確認できるようにしたものである。
【００３８】
まず、図６を用いて、本実施の形態３にかかる記録再生装置の構成について説明する。図６は、本発明の実施の形態３における記録再生装置の構成を示す図である。
【００３９】
図６において、本実施の形態３における記録再生装置１０ｂは、上記実施の形態１にかかる記録再生装置１０の構成に加え、記録再生媒体にアクセス中であることを示す文字信号、例えば、ＳＤメモリカードにアクセス中には‘ＳＤアクセス中’等を発生させる文字信号発生回路３５、及び上記文字信号発生回路３５にて発生された文字信号を、映像／音声切換回路３２ｂから出力された信号に合成する映像信号合成回路３６を備えたものである。なお、そのほかの構成については、上記実施の形態１と同様であるため、ここでは説明を省略する。
【００４０】
以下、このような構成を有する記録再生装置１０ｂの動作について、図６を参照しながら説明する。
本実施の形態３にかかる記録再生装置１０ｂの動作は、上記実施の形態１の記録再生装置１０と同じであるが、本実施の形態３の記録再生装置１０ｂでは、各記録再生媒体がアクセス状態にある際に、システムコントローラー３０ｂが文字信号発生回路３５を制御して、その旨を示す文字信号を発生させ、上記各記録再生媒体に記録されている映像データに合成する点で異なる。
【００４１】
つまり、本実施の形態３の記録再生装置１０ｂにおいては、システムコントローラー３０ｂが、ＳＤ制御ユニット１２に対してＳＤメモリカード２０へのアクセス許可を出すと、上記ＳＤ制御ユニット１２は、そのアクセス許可を受け取り、システムコントローラー３０ｂに対してアクセス中であることを示す信号を出した後に、ＳＤメモリカード２０とのアクセスを開始し、映像情報やデータを書き込み、または読み出しを行う。そして、上記ＳＤ制御ユニット１２からアクセス中であることを示す信号を受信している間、上記システムコントローラー３０ｂは、上記文字信号発生回路３５を制御して、‘ＳＤアクセス中’という文字信号を発生させ、映像信号合成回路３６により、映像／音声切換回路３２ｂから出力される映像信号と合成し、ＴＶモニタ４０にその文字を表示する。
【００４２】
このようにすることにより、使用者は、本記録再生装置１０ｂがＳＤメモリカード２０に対してアクセス状態であることを、ＴＶモニタ４０により視覚的に知ることが可能となり、使用者に対して、記録再生媒体がアクセス状態にある際には上記ＤＶＤローディングトレイ１３を引き出すことのないよう、ＴＶモニタ４０上の文字により促すことができる。なお、ここでは、ＳＤメモリカード２０に対してＳＤ制御ユニット１２がアクセス状態にある場合の制御について説明したが、本記録再生装置１０ｂに挿入される他の記録再生媒体、例えばＤＶＤやビデオテープに対して、記録再生装置１０ｂがアクセス状態にあるとき、例えば、ＤＶＤがアクセス状態にある際には、‘ＤＶＤアクセス中’また、ビデオテープがアクセス状態にある際には、‘ビデオテープアクセス中’等の文字信号を文字信号発生回路３５にて発生させ、映像信号合成回路３６で、映像／音声切換回路３２ｂから出力されるデータに合成させるようにしてもよい。
【００４３】
以上のように、本実施の形態３の記録再生装置１０ｂによれば、文字信号発生回路３５、及び映像信号合成回路３６をさらに設けて、各記録再生媒体に記録再生装置１０ｂの各制御ユニット等がアクセス状態にある際に、文字発生回路３５にてその旨を示す文字信号を発生させ、該文字信号を映像信号合成回路３６にて、各記録再生媒体のデータに合成するようシステムコントローラー３０ｂで制御するようにしたので、上記各記録再生媒体がアクセス状態にあるか否かを、使用者がＴＶモニタ４０上の文字で確認することができ、これにより、上記各制御ユニットが記録再生媒体にアクセス中に、使用者が上記電子スイッチ１７、あるいはリモコンを操作して、ＤＶＤローディングトレイ１３を記録再生装置１０ｂから引き出す指示を出さないように促すことができ、この結果、記録再生装置１０ｂにおいて、記録再生媒体内のデータを不完全にされたり、破壊されることを防止することを未然に防止することが可能となる。
【００４４】
（実施の形態４）
以下、本発明の実施の形態４における記録再生装置について、図面を参照しながら説明する。本実施の形態４においては、記録再生媒体がアクセス状態にあるときには音信号を発生させ、使用者がその音信号によりアクセス中であるかどうかを確認できるようにしたものである。
【００４５】
まず、図７を用いて、本実施の形態４にかかる記録再生装置の構成について説明する。図７は、本発明の実施の形態４における記録再生装置の構成を示す図である。
【００４６】
図７において、本実施の形態４における記録再生装置１０ｃは、上記実施の形態１にかかる記録再生装置１０の構成に加え、音信号発生回路３７、発音体３８を備えたものである。なお、そのほかの構成については、上記実施の形態１と同様であるため、ここでは説明を省略する。
【００４７】
以下、このような構成を有する記録再生装置１０ｃの動作について、図７を参照しながら説明する。
本実施の形態４にかかる記録再生装置１０ｃの動作は、上記実施の形態１の記録再生装置１０と同じであるが、本実施の形態４の記録再生装置１０ｃでは、各記録再生媒体がアクセス状態にある際に、システムコントローラー３０ｃが音信号発生回路３７を制御して、発音体３８より音を発生させる点で異なる。
【００４８】
つまり、システムコントローラー３０ｃが、ＳＤ制御ユニット１２に対してＳＤメモリカード２０へのアクセス許可を出すと、上記ＳＤ制御ユニット１２は、そのアクセス許可を受け取り、システムコントローラー３０ｃに対してアクセス中であることを示す信号を出した後に、ＳＤメモリカード２０とのアクセスを開始し、映像情報やデータを書き込み、または読み出しを行う。そして、上記ＳＤ制御ユニット１２からアクセス中であることを示す信号を受信している間、上記システムコントローラー３０ｃは、上記音信号発生回路３７を制御して、発音体３８よりブザー音を鳴らす。
【００４９】
このようにすることにより、使用者が、本記録再生装置１０ｃがＳＤメモリカード２０に対してアクセス状態であることを聴覚的に知ることが可能となり、使用者に対して、記録再生媒体がアクセス状態にある際には上記ＤＶＤローディングトレイ１３を引き出すことのないよう、音により促すことができる。なお、ここでは、ＳＤメモリカード２０に対してＳＤ制御ユニット１２がアクセス状態にある場合の制御について説明したが、本記録再生装置１０ｃに挿入される他の記録再生媒体、例えばＤＶＤやビデオテープに対して、記録再生装置１０ｃがアクセス状態にあるときにも、同様に音信号発生回路３７を制御するようにすれば、同様の効果が得られる
【００５０】
以上のように、本実施の形態４の記録再生装置１０ｃによれば、上記実施の形態の形態１の記録再生装置１０の構成に加えて、音信号発生回路３７、及び発音体３８を設けて、各記録再生媒体に記録再生装置１０ｃの各制御ユニット等がアクセス状態にある際に、音信号発生回路３７を制御して発音体３８より音を発生させるようシステムコントローラー３０ｃで制御するようにしたので、上記各記録再生媒体がアクセス状態にあるか否かを、使用者が発音体３８からの発生音により聴覚で確認することができ、これにより、上記各制御ユニットが記録再生媒体にアクセス中に、使用者が上記電子スイッチ１７、あるいはリモコンを操作して、ＤＶＤローディングトレイ１３を記録再生装置１０ｃから引き出す指示を出さないように促すことができ、この結果、記録再生装置１０ｃにおいて、記録再生媒体内のデータを不完全にされたり、破壊されることを防止することを未然に防止することが可能となる。
【００５１】
（実施の形態５）
以下、本発明の実施の形態５における記録再生装置について、図面を参照しながら説明する。本実施の形態５においては、ＳＤメモリカードが記録再生装置のＳＤメモリカード挿入口に挿入されているか否かを確認可能にしたものである。
【００５２】
まず、図８を用いて、本実施の形態５にかかる記録再生装置の構成について説明する。図８は、本発明の実施の形態５における記録再生装置の外観を示す図である。
【００５３】
図８において、本実施の形態５における記録再生装置１０ｄは、上記実施の形態１の構成に加え、ＳＤメモリカード挿入口１１にＳＤメモリカード２０が挿入されているか否かが見えるように、ＤＶＤローディングトレイ１３の蓋１３ａのＳＤメモリカード挿入口１１にあたる部分に透明な樹脂でできた窓１３ｂを設けるようにしたものである。
【００５４】
このようにすれば、ＤＶＤローディングトレイ１３の蓋１３ａが閉じられた状態であっても、ＳＤメモリカード挿入口１１に挿入されたＳＤメモリカード２０の有り無しを、窓１３ｂを通して確認することができる。
【００５５】
以上のように、本実施の形態５の記録再生装置１０ｄによれば、上記ＤＶＤローディングトレイ１３の蓋１３ａに、ＳＤメモリカード挿入口１１が目視できるように透明な窓１３ｂを設けるようにしたので、その窓１３ｂを通して、ＳＤメモリカード２０が記録再生装置１０ｄに挿入されているか否かを容易に確認することができる。
【００５６】
（実施の形態６）
以下、本発明の実施の形態６における記録再生装置について、図面を参照しながら説明する。本実施の形態６においては、記録再生装置がデモトレーション設定されている場合も、ＤＶＤローディングトレイが開かないよう制御可能にしたものである。
なお、本実施の形態６にかかる記録再生装置の構成は、上記実施の形態１と同様であるため、ここでは説明を省略する。
【００５７】
まず、図９を用いて、本実施の形態６にかかる記録再生装置をデモストレーションモードにするための処理について説明する。図９は、本実施の形態６における記録再生装置をデモンストレーションモード設定にする手順を示すフローチャートである。
【００５８】
まず、システムコントローラー３０において、ＣＨ設定済みか否かを判断し（ステップＳ２０）、ＣＨ設定済みの場合には、ＰＬＡＹキーが５秒以上押されているかどうかを判断する（ステップＳ２１）。そして、ＰＬＡＹキーが５秒以上押されている場合には、当該記録再生装置をデモンストレーションモードに設定し、蛍光表示管コントローラ３３を制御して、蛍光表示管１８に‘デモモード’を表示する（ステップＳ２２）。
【００５９】
以下、以上のようにしてデモンストレーションモードに設定された記録再生装置における、ＤＶＤディスクローディングトレイ１３の開閉の制御について、図１０を参照しながら説明する。図１０は、本実施の形態６における記録再生装置がデモンストレーションモードにあるときの、ＤＶＤディスクローディングトレイの開閉の制御の一連の流れについて示すフローチャートである。
【００６０】
使用者より、操作キー入力部１７あるいはリモコン（図示せず）を操作することで、ＤＶＤローディングトレイ１３を開けるよう指示がだされると、システムコントローラー３０に上記指示が入力され（ステップＳ３１）、システムコントローラー３０は、ＤＶＤローディングトレイ１３の開閉状態を確認する（ステップＳ３２）。そして、ＤＶＤローディングトレイ１３が閉まっていると判断された場合、システムコントローラー３０はまず、ＳＤメモリカード２０が本記録再生装置１０内に挿入されているか否かを判断する（ステップＳ３３）。この際、ＳＤメモリカード２０が本記録再生装置１０内に挿入されていないと判断された場合、システムコントローラー３０は、ＤＶＤ制御ユニット１４に対してＤＶＤローディングトレイ１３を開けるよう指示する（ステップＳ３７）。一方、ＳＤメモリカード２０が本記録再生装置１０内に挿入されていると判断された場合、システムコントローラー３０は、記録再生装置がデモンストレーションモードか否かを判断して（ステップＳ３４）、デモンストレーションモードの場合には、ＤＶＤローディングトレイ１３を閉めるよう指示を出す（ステップＳ３６）。そして、該ＤＶＤローディングトレイ１３を閉める指示を受信したＤＶＤ制御ユニット１４は、ＤＶＤローディングトレイ１３を閉めるよう処理する（ステップＳ４２）。このようにすることにより、記録再生装置がデモンストレーションモード中に、使用者によって、操作キー或いはリモコン等によって、ＤＶＤローディングトレイ１３を開けるように指示がだされても、ＤＶＤローディングトレイ１３が開かないようにすることができる。
【００６１】
そして、デモンストレーションモードでない場合には、システムコントローラー３０は、ＳＤ制御ユニット１２がそのＳＤメモリカード２０にアクセス中かどうかを判断し（ステップＳ３５）、ＳＤ制御ユニット１２が上記ＳＤメモリカード２０にアクセス中でない場合は、ＤＶＤローディングトレイ１３を開けるよう指示し（ステップＳ３７）、アクセス中である場合には、アクセス中断指示を出し（ステップＳ３８）、アクセス中断が確認した後（ステップＳ３５）、ＤＶＤローディングトレイ１３を開ける指示を出す（ステップＳ３７）。この後の処理は、上記実施の形態１と同様であるため、ここでは説明を省略する。
【００６２】
以上のように、本実施の形態６の記録再生装置によれば、以上のようなＤＶＤローディングトレイ１３の開閉制御を行うことにより、記録再生装置１０がデモストレーション設定されている場合に、ＤＶＤローディングトレイ１３が開けられることのないようにしたので、使用者が、記録再生装置１０がデモストレーション設定されている場合に、その記録再生媒体を取り出したり、触れたりできないようにすることができ、この結果、デモストレーションにおいて使用されているＳＤメモリカード２０等の記録再生媒体を盗まれる心配が無くなり、より自由度が高く、効果的なデモンストレーションが実施できる。
【００６３】
【発明の効果】
以上のことにより、本発明の請求項１に記載の記録再生装置よれば、複数の記録再生媒体に、該複数の記録再生媒体に対応する複数のアクセス手段によりアクセスして、映像情報やデータの書き込み、あるいは読み出しを行う記録再生装置において、上記複数の記録再生媒体の一つである第１の記録再生媒体の挿入口は、電子制御により開閉動作を行う開閉手段によってその開閉がなされるものであり、該第１の記録再生媒体の挿入口の近傍に、上記複数の記録再生媒体の一つである第２の記録再生媒体の挿入口が設けられ、上記開閉手段に設けられた第１の記録再生媒体の挿入口を覆う蓋は、該第２の記録再生媒体の挿入口をも覆い、上記第１、及び第２の記録再生媒体のいずれか一つがアクセス状態にある際には、上記開閉手段がその開動作を行わないようにしたので、当該記録再生装置が記録再生媒体とアクセス中に、使用者が、上記記録再生媒体を誤って取外したり、触れたりすることを完全に防止することができ、この結果、記録再生装置において、記録再生媒体内のデータを不完全にされたり、破壊されることを防止することが可能となる。
【００６４】
また、本発明の請求項２に記載の記録再生装置よれば、請求項１記載の記録再生装置において、可視光を発光する発光手段を具備し、上記発光手段は、上記複数の記録再生媒体のうちのいずれか一つがアクセス状態にあるとき、可視光を発光して該アクセス状態にあることを示すようにしたので、使用者が視覚により上記記録再生媒体がアクセス状態にあるか否かを確認することができ、これにより、当該記録再生装置が上記記録再生媒体にアクセス中に、使用者が記録再生装置から記録再生媒体を誤って取外したり、触れたりしなよう促すことができ、この結果、記録再生装置において、記録再生媒体内のデータを不完全にされたり、破壊されることを防止することを未然に防止することが可能となる。
【００６５】
また、本発明の請求項３に記載の記録再生装置によれば、請求項１または請求項２に記載の記録再生装置において、文字信号を生成する文字信号生成手段と、文字信号を、上記記録再生媒体から再生された映像信号に合成する映像信号合成手段と、を具備し、上記複数の記録再生媒体のうちのいずれか一つがアクセス状態にあるとき、上記映像信号合成手段により、該アクセス状態にあることを示す文字信号を映像信号に合成し、該合成信号を当該記録再生装置に接続された表示装置に表示するようにしたので、上記各記録再生媒体がアクセス状態にあるか否かを、使用者が表示装置上に表示された文字で確認することができ、これにより、当該記録再生装置が記録再生媒体にアクセス中に、使用者が記録再生装置から記録再生媒体を誤って取外したり、触れたりしなよう促すことができ、この結果、記録再生装置において、記録再生媒体内のデータを不完全にされたり、破壊されることを防止することを未然に防止することが可能となる。
【００６６】
また、本発明の請求項４に記載の記録再生装置によれば、請求項１ないし請求項３のいずれかに記載の記録再生装置において、可聴音を発生する音発生手段を具備し、上記音発生手段は、上記複数の記録再生媒体のうちのいずれか一つがアクセス状態にあるとき、可聴音を発生して該アクセス状態にあることを示すようにしたので、上記記録再生媒体がアクセス状態にあるか否かを、使用者が発生音により聴覚で確認することができ、これにより、当該記録再生装置が上記記録再生媒体にアクセス中に、使用者が記録再生装置から記録再生媒体を誤って取外したり、触れたりしなよう促すことができ、この結果、記録再生装置において、記録再生媒体内のデータを不完全にされたり、破壊されることを防止することを未然に防止することが可能となる。
【００６７】
また、本発明の請求項５に記載の記録再生装置によれば、請求項１に記載の記録再生装置において、上記蓋の、上記第２の記録再生媒体の挿入口を覆う部分が透明であるようにしたので、上記第２の記録再生媒体が、当該記録再生装置に挿入されているかいないかを容易に知らしめることが可能となる。
【００６８】
また、本発明の請求項６に記載の記録再生装置によれば、請求項１に記載の記録再生装置において、上記開閉手段は、当該記録再生装置がデモンストレーションモードにある際には、その開動作を行わないようにしたので、そのような店頭で行われるデモンストレーションモードの時にも、蓋が開かないようにでき、この結果、デモストレーションにおいて使用される記録再生媒体を盗まれる心配が無くなり、より自由度が高く、効果的なデモンストレーションが実施できる効果がある。
【図面の簡単な説明】
【図１】本発明の実施の形態１における記録再生装置の外観を示す図である。
【図２】本発明の実施の形態１における記録再生装置の構成を示す図である。
【図３】本発明の実施の形態１における記録再生装置において、ＤＶＤローディングトレイの開閉制御の一連の流れを示すフローチャートである。
【図４】本発明の実施の形態２における記録再生装置の外観図である。
【図５】本発明の実施の形態２における記録再生装置の構成を示す図である。
【図６】本発明の実施の形態３における記録再生装置の構成を示す図である。
【図７】本発明の実施の形態４における記録再生装置の構成を示す図である。
【図８】本発明の実施の形態５における記録再生装置の外観を示す図である。
【図９】本発明の実施の形態６における記録再生装置をデモンストレーションモード設定にする手順を示すフローチャートである。
【図１０】本実施の形態６における記録再生装置がデモンストレーションモードにあるときの、ＤＶＤディスクローディングトレイの開閉の制御の一連の流れについて示すフローチャートである。
【符号の説明】
１０、１０ａ、１０ｂ、１０ｃ、１０ｄ  記録再生装置
１１  ＳＤメモリカード挿入口
１２  ＳＤ制御ユニット
１３  ＤＶＤローディングトレイ
１３ａ  蓋
１３ｂ  窓
１４  ＤＶＤ制御ユニット
１５  ビデオテープ挿入口
１６  ビデオテープ制御ユニット
１７  操作キー
１８  蛍光表示管
１９  リモコン信号受信部
２０  ＳＤメモリカード
３０、３０ａ、３０ｂ、３０ｃ  システムコントローラー
３１  記録再生処理回路
３２、３２ｂ  映像／音声切換回路
３３  蛍光表示管コントローラ
３４  ＬＥＤ
３５  文字信号発生回路
３６  映像信号合成回路
３７  音信号発生回路
４０  ＴＶモニタ
【図１】
2004199815.tif 000003
【図２】
2004199815.tif 000004
【図３】
2004199815.tif 000005
【図４】
2004199815.tif 000006
【図５】
2004199815.tif 000007
【図６】
2004199815.tif 000008
【図７】
2004199815.tif 000009
【図８】
2004199815.tif 000010
【図９】
2004199815.tif 000011
【図１０】
2004199815.tif 000012